(57)【特許請求の範囲】
【請求項１】
集塵脱臭用電極とマイナスイオン発生用電極を有する空気清浄機の電源装置において、
前記集塵脱臭用電極と前記マイナスイオン発生用電極に高圧の電圧を供給する共通の高圧電源と、
この高圧電源から前記集塵脱臭用電極への通電をオン・オフする第１の切替手段と、
前記高圧電源から前記マイナスイオン発生用電極への通電をオン・オフする第２の切替手段と、
前記第１，第２の切替手段のオン・オフを、操作スイッチの操作に基づいて制御する制御手段と、
マイナスイオン発生用電極と並列に接続され、前記集塵脱臭用電極に相当する疑似負荷と、
を備え、
前記第１の切替手段を前記疑似負荷への通電と前記集塵脱臭用電極への通電とを切替可能とし、
前記制御手段は、マイナスイオン発生用電極のみ通電するときには、前記第１の切り替え手段により前記疑似負荷に切替えることを特徴とする空気清浄機の電源装置。
【発明の詳細な説明】
【０００１】
【発明の属する技術分野】
この発明は、空気清浄機の電源装置に係わり、特に、集塵脱臭用電極とマイナスイオン発生用電極に高圧の電圧を供給する共通の高圧電源を備えた空気清浄機の電源装置に関にするものである。
【０００２】
【従来の技術】
図３は、送風ファン、集塵脱臭用電極とマイナスイオン発生用電極双方を有する空気清浄機の基本構成である。図において、１は吸込口、２は集塵脱臭用電極、３は送風ファン、４はファン駆動用モーター、５はマイナスイオン発生用電極、６は吹出口である。図４、５は電源装置のブロック図である。図４、５において、１５は電源装置である。電源装置１５において、７ａはプラス高圧電源、７ｂはマイナス高圧電源、８は高圧電源用入力電源、９ｃは高圧電源入力オンオフ切替リレー、１０はマイクロコンピューター、１１は操作スイッチである。
なお、集塵脱臭用電極２の負荷インピーダンスはマイナスイオン発生電極５の負荷インピーダンスよりかなり小さい。
【０００３】
上記構成において、主に集塵脱臭用電極２には数ｋＶのプラス又はマイナス高電圧が、マイナスイオン発生用電極５には数ｋＶのマイナス高電圧が供給され、両電極がコロナ放電され、集塵脱臭、マイナスイオン発生というそれぞれの電極の役目が果たされるのであるが、この電源装置１５の構成としては従来、図４か図５のどちらかで行われていた。
【０００４】
図４の構成では、マイナス高圧電源７ｂ１つにて集塵脱臭用電極２とマイナスイオン発生用電極５を両方通電させる場合である。高圧電源の通電オンオフを外部から操作する操作スイッチ１１のオンオフの信号をマイクロコンピューター１０を経て高圧電源入力オンオフ切替リレー９ｃへ送る。高圧電源入力オンオフ切替リレー９ｃを高圧電源用入力電源８とマイナス高圧電源７ｂ間に配置させることにより高圧電源の通電オンオフの操作を操作スイッチ１１から行なうことが可能となる。マイナス高圧電源７ｂは集塵脱臭用電極２とマイナスイオン発生用電極５双方接続されている。
【０００５】
しかし、図４のような１つの電圧出力端子のみを備えたマイナス高圧電源７ｂにて双方の電極に通電する場合では、集塵脱臭用電極２及びマイナスイオン発生用電極５、各々片方の通電オン・オフができなく、集塵脱臭用電極２、マイナスイオン発生用電極５の両方の通電オン・両方の通電オフしかできなかった。その問題を解決できるのが図５である。
【０００６】
図５の構成は、集塵脱臭用電極２にはプラス高圧電源７ａを、マイナスイオン発生用電極５にはマイナス高圧電源７ｂをそれぞれ接続し、各々の電極へ通電させる場合である。高圧電源のオンオフを外部から操作する操作スイッチ１１のオンオフの信号をマイクロコンピューター１０を経て高圧電源入力オンオフ切替リレー９ｃへ送る。高圧電源入力オンオフ切替リレー９ｃは集塵脱臭電極２側の高圧電源用入力電源８とプラス高圧電源７ａ間、及びマイナスイオン発生電極５側の高圧電源用入力電源８とマイナス高圧電源７ｂ間、２ヶ所配置させることにより２つの高圧電源各々の通電オンオフの操作を操作スイッチ１１から行なうことが可能となる。
【０００７】
【発明が解決しようとする課題】
上記構成において、集塵脱臭用電極２及びマイナスイオン発生用電極５双方へ高電圧を供給し、両電極をコロナ放電させるのに、図４のような集塵脱臭用電極２用及びマイナスイオン発生用電極５用それぞれの高圧電源７ａ、７ｂを用いた場合、集塵脱臭用電極２及びマイナスイオン発生用電極５、各々片方の通電オン・オフが可能になるが、部品点数増加による部品設置スペースの拡大、コスト増加の要因となる問題があった。
【０００８】
この発明は、上記のような課題を解消するためになされたもので、電圧出力端子１つのみを備えた共通の高圧電源１つの使用にて集塵脱臭用電極及びマイナスイオン発生用電極双方を通電し、且つ各々片方の電極の通電オン・オフを可能とする空気清浄機の電源装置を得ることを目的とする。
【０００９】
【課題を解決するための手段】
この発明に係る空気清浄機の電源装置は、集塵脱臭用電極とマイナスイオン発生用電極を有する空気清浄機の電源装置において、前記集塵脱臭用電極と前記マイナスイオン発生用電極に高圧の電圧を供給する共通の高圧電源と、この高圧電源から前記集塵脱臭用電極への通電をオン・オフする第１の切替手段と、前記高圧電源から前記マイナスイオン発生用電極への通電をオン・オフする第２の切替手段と、前記第１，第２の切替手段のオン・オフを、操作スイッチの操作に基づいて制御する制御手段と、マイナスイオン発生用電極と並列に接続され、前記集塵脱臭用電極に相当する疑似負荷と、を備え、前記第１の切替手段を前記疑似負荷への通電と前記集塵脱臭用電極への通電とを切替可能とし、前記制御手段は、マイナスイオン発生用電極のみ通電するときには、前記第１の切り替え手段により前記疑似負荷に切替えるものである。
【００１１】
【発明の実施の形態】
実施の形態１．
図１はこの発明の実施の形態１を示す空気清浄機の電源装置のブロック図である。
図１において、２は集塵脱臭用電極、５はマイナスイオン発生用電極、１５は電源装置である。電源装置１５は、マイナス高圧電源７ｂ、高圧電源用入力電源８、第１の切替手段である集塵脱臭用電極のオンオフ切替リレー９ａ、第２の切替手段であるマイナスイオン発生用電極オンオフ切替リレー９ｂ、高圧電源入力オンオフ切替リレー９ｃ、制御手段であるマイクロコンピューター１０、操作スイッチ１１から構成されている。なお、オンオフ切替リレー９ａはマイナス高圧電源８と集塵脱臭用電極２間、オンオフ切替リレー９ｂはマイナスイオン発生電極５間結線のグランド側線上に設けている。
【００１２】
次に、動作について図５を用いて説明する。
高圧電源用入力電源８からマイナス高圧電源７ｂへ電圧を供給すると、マイナス高圧電源７ｂ出力端子は集塵脱臭用電極２、マイナスイオン発生用電極５双方へ接続されており、双方の電極へマイナス高電圧が供給される。
【００１３】
次に、集塵脱臭用電極２及びマイナスイオン発生用電極５、各々を通電オン・オフする動作について説明する。
マイナス高圧電源７ｂの通電オン・オフを外部から操作する操作スイッチ１１のオンオフの信号をマイクロコンピューター１０を経て切り替えリレー９ａ、９ｂ、９ｃへ送る。これにより各リレーの切り替えを操作スイッチ１１から行なうことが可能となる。集塵脱臭用電極２及びマイナスイオン発生用電極５がともに通電オンの場合、リレー９ａ、リレー９ｂ、リレー９ｃともにオンとなる。集塵脱臭用電極２及びマイナスイオン発生用電極５がともに通電オフの場合、リレー９ｃがオフとなる。また集塵脱臭用電極２のみ通電オンの場合リレー９ａがオン、リレー９ｂがオフ、リレー９ｃがオンとなる。マイナスイオン発生用電極５のみ通電オンの場合、リレー９ａがオフ、リレー９ｂがオン、リレー９ｃがオンとなる。これにより操作スイッチ１１にて集塵脱臭用電極２、マイナスイオン発生用電極５各々の通電オン・オフの切り替え操作が可能となる。
【００１４】
以上のように、１つの高圧電源使用で、集塵脱臭用電極２及びマイナスイオン発生用電極５、各々片方の通電オン・オフが可能となり、コスト低減を可能とさせ、また部品点数削減により空気清浄機本体部品設置スペースを低減でき、空気清浄機本体のコンパクト化が可能となる。
【００１５】
実施の形態２．
実施の形態１において、マイナスイオン発生用電極５のみオンの場合、マイナスイオン発生用電極５の負荷インピーダンスが集塵脱臭用電極２の負荷インピーダンスと比較しかなり大きいため、マイナスイオン発生用電極５のみの通電では出力電圧が無負荷電圧付近まで上昇してしまうことから、本実施の形態はこれを改良したものである。
【００１６】
図２において、実施の形態１の図１と同一の部分には同一の符号を付し説明を省略する。１２は集塵脱臭用電極のインピーダンスに相当する集塵脱臭用電極相当擬似負荷であり、抵抗及びコンデンサーから構成され、マイナスイオン発生用電極５と集塵脱臭用電極２に並列に接続されている。
【００１７】
この構成において、集塵脱臭用電極２及びマイナスイオン発生用電極５がともに通電オンの場合、リレー９ａはＡに、リレー９ｂはオン、リレー９ｃはオンとなる。集塵脱臭用電極２及びマイナスイオン発生用電極５がともに通電オフの場合、リレー９ｃがオフとなる。また集塵脱臭用電極２のみ通電オンの場合リレー９ａがＡに、リレー９ｂがオフ、リレー９ｃがオンとなる。マイナスイオン発生用電極５のみ通電オンの場合、リレー９ａがＢに、リレー９ｂがオン、リレー９ｃがオンとなる。
【００１８】
以上のように、マイナスイオン発生用電極５のみオンとしても、出力電圧が無負荷電圧付近まで上昇するのを防ぐことができ、集塵脱臭用電極２、マイナスイオン発生用電極５各々の通電オン・オフのどの組み合わせでも出力電圧を、ほぼ同じにすることができる。
【００１９】
【発明の効果】
以上のように、この発明によれば、集塵脱臭用電極とマイナスイオン発生用電極を有する空気清浄機の電源装置において、前記集塵脱臭用電極と前記マイナスイオン発生用電極に高圧の電圧を供給する共通の高圧電源と、この高圧電源から前記集塵脱臭用電極への通電をオン・オフする第１の切替手段と、前記高圧電源から前記マイナスイオン発生用電極への通電をオン・オフする第２の切替手段と、前記第１，第２の切替手段のオン・オフを、操作スイッチの操作に基づいて制御する制御手段と、マイナスイオン発生用電極と並列に接続され、前記集塵脱臭用電極に相当する疑似負荷と、を備え、前記第１の切替手段を前記疑似負荷への通電と前記集塵脱臭用電極への通電とを切替可能とし、前記制御手段は、マイナスイオン発生用電極のみ通電するときには、前記第１の切り替え手段により前記疑似負荷に切替えるので、コスト低減を可能とさせ、また部品点数削減により部品設置スペースを低減でき、装置のコンパクト化が可能となる。
また、集塵脱臭用電極２、マイナスイオン発生用電極５の通電オン・オフのあらゆる組み合わせによらず、同じ大きさの出力電圧を供給することが可能となる。
【図面の簡単な説明】
【図１】この発明の実施の形態１を示す空気清浄機の電源装置のブロック図である。
【図２】この発明の実施の形態２を示す空気清浄機の電源装置のブロック図である。
【図３】  従来の空気清浄機の１部を切断した側面図である。
【図４】  空気清浄機の電源装置のブロック図である。
【図５】  空気清浄機の電源装置のブロック図である。
【符号の説明】
１  吸込口、２  集塵脱臭用電極、３  送風ファン、４  ファン駆動用モータ５、マイナスイオン発生用電極、６  吹出口、７ａ  プラス高圧電源、７ｂ  マイナス高圧電源、８  高圧電源用入力電源、９ａ  集塵脱臭用電極オンオフ切替リレー、９ｂ  マイナスイオン発生用電極オンオフ切替リレー、９ｃ  高圧電源入力オンオフ切替リレー、１０  マイクロコンピューター、１１  操作スイッチ、１２  集塵脱臭電極相当擬似負荷、１５  電源装置。
【図１】
0004032289.tif 000002
【図２】
0004032289.tif 000003
【図３】
0004032289.tif 000004
【図４】
0004032289.tif 000005
【図５】
0004032289.tif 000006